(57)【要約】【課題】光源損失を減少し明度を向上させる発光ダイオードを提供する。【解決手段】本考案の発光ダイオードは、一つのケース、最低一つのサポート台、最低一つの発光チップ、及びパッケージ接着体を最低含み、該ケースにサポート台を内設し、またケースには最低一つのへこみ状の配置部を備え、該配置部は、サポート台を露出させ、該配置部側面には、複数の異なる傾斜角度を持つ反射側壁を備え、該発光チップは、サポート台上に設置し、発光チップが発する光線は、異なる反射側壁を経由して異なる走行方向を形成し、大部分の光線を配置部から射出し、更に発光ダイオードの明度を向上させる。【選択図】    図２
0003134119.tif 000002
【実用新案登録請求の範囲】
【請求項１】
一つのケース、最低一つのサポート台、最低一つの発光チップ、パッケージ接着体を含む発光ダイオードにおいて、
該ケースにはサポート台を内設し、また、ケースには最低一つのへこみ状の配置部を設け、該配置部はサポート台を露出させるものであり、該配置部の側面には複数の異なる傾斜角度を持つ反射側壁を設け、
該サポート台は発光チップを置く為のものであり、
該発光チップはサポート台上に設け、
該パッケージ接着体は配置部内に設けることを特徴とする発光ダイオード。
【請求項２】
一つのケース、最低一つのサポート台、最低一つの発光チップ、パッケージ接着体を含む発光ダイオードにおいて、
該ケースにはサポート台を内設し、また、ケースには最低一つのへこみ状の配置部を設け、該配置部はサポート台を露出させるものであり、該配置部は二つが向き合っている第一側面、第二側面を備えており、該第一側面もしくは第二側面上には複数の異なる傾斜角度を持つ反射側壁を設け、
該サポート台は発光チップを置く為のものであり、
該発光チップはサポート台上に設け、
該パッケージ接着体は配置部内に設けることを特徴とする発光ダイオード。
【請求項３】
一つのケース、最低一つのサポート台、最低一つの発光チップ、パッケージ接着体を含む発光ダイオードにおいて、
該ケースにはサポート台を内設し、また、ケースには最低一つのへこみ状の配置部を設け、該配置部はサポート台を露出させるものであり、該配置部は二つが向き合っている第一側面、第二側面を備えており、該第一側面及び第二側面上には複数の異なる傾斜角度を持つ反射側壁を設け、
該サポート台は発光チップを置く為のものであり、
該発光チップはサポート台上に設け、
該パッケージ接着体は配置部内に設置することを特徴とする発光ダイオード。
【請求項４】
前記第一側面、第二側面の複数の反射側壁には、相対しているか異なる傾斜角度を形成することを特徴とする請求項3記載の発光ダイオード。
【請求項５】
前記配置部の底部から上方向に設置した反射側壁は、傾斜角度が徐々に大きくなるか徐々に小さくなることを特徴とする請求項1、請求項2または請求項3のいずれかの項に記載の発光ダイオード。
【考案の詳細な説明】
【技術分野】
【０００１】
本考案は、発光ダイオードに関するものであり、特に、光源損失を減少し明度を向上させる発光ダイオードを提供する。
【背景技術】
【０００２】
図1に、公知のSMD発光ダイオードの構造見取図を示す。該発光ダイオード1は一つのケース11を備えており、該ケース11は、第一側面111、第二側面112に囲まれて成る配置空間113を設けており、発光チップ12は該配置空間113底部に設けられ、並びに、二つの分離したサ示―ト台13、14をケース11内に設置、発光チップ1
2はその内の一つのサポート台13上に設置し、該発光チップ12は、導線15によってそれぞれ、二つのサポート台13、14と電気接続を形成し、最後に、配置空間113内にパッケージ接着体16を設け、発光ダイオード１の構造を完成させる。
【０００３】
発光チップ12の発した光線がパッケージ接着体16と空気の異なる二つの媒体間に入射した時、一部の光線が空気によって反射されてパッケージ接着体16に戻り空気の中に進入不可能となり、並びに、第一側面111、第二側面112上に反射される。しかし、光線の中には、全反射を形成して、第一側面111、第二側面112に入射するものもあるが、該第一側面111、第二側面112の傾斜角度が大きいと、配置空間113底部と形成する夾角が大きくなり、この時、第一側面111、第二側面112に入射した光線は、光線を配置空間113底部に反射し易くなり、効果的に配置空間113を離れることができない故に、光線の損失、光線の使用効率低下を招き、更には、発光ダイオード全体の明度を不良にする。
【０００４】
よって、別の発光ダイオードの構造において、その第一側面、第二側面の傾斜角度は比較的小さく、即ち、配置空間底部と形成する爽角は比較的小さく、比較的傾斜のある状態を成す。その第一側面、第二側面は、パッケージ接着体から反射される光線は、配置空間上方に向かって射出されるが、比較的傾斜のある第一側面、第二側面が配置空間に設置されている場合は、配置空間底部面積が比較的小さい故に、配置空間の開口箇所の面積が大きくなり、発光チップ設置位置及び導線設置位置の配置が難しい等の問題が発生する。
【考案の開示】
【考案が解決しようとする課題】
【０００５】
公知の発光ダイオードの問題点は、光線の損失や光線の使用効率低下である。
【課題を解決するための手段】
【０００６】
以上を鑑み、本考案の主な目的は、上述の欠点を解決することにあり、本考案は、光源損失を減少して更に明度を高める発光ダイオードを提供することにある。
【０００７】
上述の目的を達成する為に、本考案の発光ダイオードは、一つのケース、最低一つのサポート台、最低一つの発光チップ、及びパッケージ接着体を最低含み、該ケースにサポート台を内設し、またケースには最低一つのへこみ状の配置部を備え、該配置部は、サポート台を露出させ、該配置部側面には、複数の異なる傾斜角度を持つ反射側壁を備え、該発光チップは、サポート台上に設置し、発光チップが発する光線は、異なる反射側壁を経由して異なる走行方向を形成し、大部分の光線を配置部から射出し、更に発光ダイオードの明度を向上させる。
【考案の効果】
【０００８】
以上説明したように、本考案の発光ダイオードは、光源損失を減少して更に明度を高めることを特徴とする。
【考案を実施するための最良の形態】
【０００９】
本考案 「発光ダイオード」の発光ダイオード2は、図2に示すとおりであり、それは、一つのケース21、サポート台221、222、最低一つの発光チップ93、パッケージ接着体25を含むものである。
【００１０】
本考案に含まれる一つのケース21は、サポート台221、222を内設し、ケース21には、一つのへこみ状の配置部211を設け、該配置部211底部は、サポート台221、222を露出し、該配置部211の側面は、複数の異なる傾斜角度を持つ反射側壁を設ける。図3を参照すると、該配置部211は、二つの相対する第一側面2111、第二側面2112を備え、該第一側面2111の長さは、第二側面2112より小さく、また、該第一側面2111は、複数の異なる傾斜角度を持つ反射側壁を備える。図に示した実施例において、該第一側面2111は、第一反射側壁31、第二反射側壁32、第三反射側壁33を設け、同時に図3を参照されたい。該配置部211の底部から上方向に設置した反射側壁は、傾斜角度を徐々に大きくしていき、即ち、第一反射側壁31、第二反射側壁32、第三反射側壁33と水平面の傾斜角度はそれぞれ、A1、A2、A3であり、A1＜A2＜A3となる。当然ながら、該第一反射側壁31、第二反射側壁32、第三反射側壁33は、第二側面2112上にも設置可能であり、これは図8に示すとおりである。
【００１１】
本発明に含まれるサポート台221、222の内の一つのサポート台221は、発光チップ23を配置するものである。
【００１２】
本発明に含まれる最低一つの発光チップ23は、その内一つのサポート台221上に設け、並びに、導線24によって各サポート台221、222と電気接続を形成する。
【００１３】
本発明に含まれるパッケージ接着体25は、配置部211中に設置する。
【００１４】
発光チップ23の発する光線が、パッケージ接着体25と空気の異なる二つの媒体間に入射された時、一部の光線は、空気によって反射されて、パッケージ接着体25に戻り、空気中に進入することができず、並びに、第一反射側壁31、第二反射側壁32、第三反射側壁33上に反射するが、光線の中には、全反射を形成して第一反射側壁31、第二反射側壁32、第三反射側壁33に入射するものもある。第一反射側壁31、第二反射側壁32の傾斜角度が比較的小さいと、入射した光線は配置部211上方に射出される故、発光ダイオードの明度を高めることができる。その内、複数の異なる傾斜角度を持つ反射側壁は、図3の実施例1に示すとおり、それは、第一側面2111上に設けられ、また、図8の実施例2においては、第二側面2112上に設けられ、当然ながら、図9の実施例3においては、第一側面2111、第二側面2112上に設けられており、同様に、発光ダイオードの明度を向上させることができる。また、第一側面2111、第二側面2112に設けた第一反射側壁31、第二反射側壁32、第三反射側壁33は、相対する傾斜角度を形成しており、即ち、第一側面の第一反射側壁31の傾斜角度A1は、第二側面の第一反射側壁31の傾斜角度a1と同じであり、これは、図10に示すとおりである。また、図11に示したものは、該第一側面2111、第二側面2112の第一反射側壁31、第二反射側壁32、第三反射側壁33は、異なる傾斜角度である故に、第一側面2111の第一反射側壁31の傾斜角度A1は、第二側面2112の第一反射側壁31の傾斜角度a1とは異なる。
【００１５】
図4及び図5には、本考案のもう一つの実施例を示す。該配置部211側面には、同様に、第一反射側壁31、第二反射側壁32、第三反射側壁33を設けており、該配置部211の、底部から上方向に設置した反射側壁の傾斜角度は徐々に小さくなっており、即ち、第一反射側壁31、第二反射側壁32、第三反射側壁33と水平面の傾斜角度はそれぞれ、A1、A2、A3であり、A1＞A2＞A3となっている。
【００１６】
発光チップ23の発する光線が、パッケージ接着体25と空気の異なる二つの媒体間に入射した時、一部の光線は、第一反射側壁31、第二反射側壁32、第三反射側壁33上に反射されるか、全反射を形成して第一反射側壁31、第二反射側壁32、第三反射側壁33に入射する。第二反射側壁32、第三反射側壁33の傾斜角度が比較的小さい為、入射した光線は、配置部211上方に射出され、また、発光ダイオードの明度を向上する。
【００１７】
更に、図7に示すとおり、該サポート台221、222の、ケース21箇所に露出した箇所に貫通孔26を設け、該貫通孔26の設置により、サポート台221、222折り曲げた時の応力を減少させる。
【００１８】
ここで特に取り上げるべき点は、本考案の発光ダイオードは、下記のような特徴のある点である。
1.  異なる角度の反射側壁によって、パッケージ接着体の反射する光線が、該反射側壁に入射した場合、光線走行方向をコントロ―ルでき、並びに、光線を配置部上方から射出し、光線の配置部底部に入射する光線を減らして光線損失を減少させる故、明度を高めることができる。
２. 異なる角度の反射側壁の設置により、配置部底部の空間に、発光チップ及び導線を良好に配置することができる。
【００１９】
上述により、本考案は、良好な実施ができる発光ダイオード構造を提供する故、ここにおいて、法に基づき実用新案の申請を行う。但し、以上の実施の説明及び図面に示したものは、本考案の最良実施例であり、本考案を制限するものではなく、よって、本考案の構造、装置、特徴等が近似するものや同等のものに関しては、全て、本考案の創作目的及び実用新案の請求範囲内のものであると見なす。
【図面の簡単な説明】
【００２０】
【図１】公知の発光ダイオードに関する構造見取図である。
【図２】本考案の発光ダイオードに関する構造見取図である。
【図３】本考案の発光ダイオードの実施例1に関する構造立体図である。
【図４】本考案の各反射側壁の構造に関する拡大見取図である。
【図５】本考案の発光ダイオードに関するもう一つの構造見取図である。
【図６】本考案の各反射側壁に関するもう一つの構造拡大見取図である。
【図７】本考案の発光ダイオードに関するもう一つの構造立体図である。
【図８】本考案の発光ダイオードの実施例2に関する構造立体図である。
【図９】本考案の発光ダイオードの実施例3に関する構造立体図である。
【図１０】本考案の第一側面、第二側面及び各反射側壁に関する構造見取図である。
【図１１】本考案の第一側面、第二側面及び各反射側壁に関するもう一つの構造見取図である。
【符号の説明】
【００２１】
1        発光ダイオード
11       ケース
111      第一側面
112      第二側面
113      配置空間
12       発光チップ
13、14   サポート台
15       導線
16       パッケージ接着体
2        発光ダイオード
21       ケース
211      配置部
2111     第一側面
2112     第二側面
221、222 サポート台
31       第一反射側壁
32       第二反射側壁
33       第三反射側壁
23       発光チップ
24       導線
25       パッケージ接着体
26       貫通孔
【図１】
0003134119.tif 000003
【図２】
0003134119.tif 000004
【図３】
0003134119.tif 000005
【図４】
0003134119.tif 000006
【図５】
0003134119.tif 000007
【図６】
0003134119.tif 000008
【図７】
0003134119.tif 000009
【図８】
0003134119.tif 000010
【図９】
0003134119.tif 000011
【図１０】
0003134119.tif 000012
【図１１】
0003134119.tif 000013